(57)【要約】【課題】キャンペーンに参加する者の商品またはサービスの購買意欲を効果的に増進させること、また、キャンペーンに参加し易くすること、に寄与することができる情報処理システムを提供することである。【解決手段】携帯端末１０とサーバ２０とを有する情報処理システムであって、前記携帯端末の処理部は、色列マークの形成された複数のラベルを一括撮影して得られた画像から、複数の色列マーク画像を抽出し（ＴＳ１４）と、該前記複数の色列マーク画像からボーナス指定コード情報を作成し（ＴＳ１７、ＳＴ１８）と、該前記ボーナス指定コード情報を通信部からサーバに送信させる（ＴＳ２１）。前記サーバは、前記ボーナス指定コード情報に対応するボーナス情報を決定し（ＳＳ１５）、前記ボーナス情報を前記携帯端末に配信する（ＳＳ１６）。【選択図】図５
2015026261.tif 000002
【特許請求の範囲】
【請求項１】
撮影部と、
該撮影部により得られた画像を処理する処理部と、
所定の移動体通信網を介して外部機器と通信を行う通信部とを有する携帯端末と、
該携帯端末の前記通信部と前記移動体通信網を介して情報の送受を行うサーバとを有する情報処理システムであって、
前記携帯端末の前記処理部は、
所定の体系に従ってコード情報を表す色列マークの形成された複数のラベルを一括撮影する前記撮影部にて得られた画像から、前記複数の色列マークに対応する複数の色列マーク画像を抽出する色列マーク画像抽出手段と、
該色列マーク画像抽出手段により得られた前記複数の色列マーク画像から、前記体系を用いて、ボーナス指定コード情報を作成するコード情報作成手段と、
該コード情報作成手段により得られた前記ボーナス指定コード情報を前記通信部から前記サーバに送信させる通信制御手段とを有し、
前記サーバは、
前記携帯端末側から送られてきた前記ボーナス指定コード情報に対応するボーナス情報を決定するボーナス情報決定手段と、
該ボーナス情報決定手段により決定された前記ボーナス情報を前記携帯端末に配信するボーナス情報配信手段とを有する情報処理システム。
【請求項２】
前記携帯端末の前記処理部における前記コード情報作成手段は、
前記複数の色列マーク画像のそれぞれが表す色列マークを前記体系に従ってコード情報に変換する変換手段を有し、
該変換手段にて得られた前記複数の色列マーク画像に対応した複数のコード情報に基づいて前記ボーナス指定コード情報を作成する請求項１記載の情報処理システム。
【請求項３】
前記コード情報作成手段は、
前記変換手段にて得られた複数のコード情報を直列的に結合して前記ボーナス指定コード情報を作成するコード情報結合手段を有する請求項２記載の情報処理システム。
【請求項４】
撮影部と、
該撮影部により得られた画像を処理する処理部と、
所定の移動体通信網を介して外部機器と通信を行う通信部とを有する携帯端末と、
該携帯端末の前記通信部と前記移動体通信網を介して情報の送受を行うサーバとを有する情報処理システムであって、
前記携帯端末の前記処理部は、
所定の体系に従ってコード情報を表す色列マークの形成された複数のラベルを一括撮影する前記撮影部にて得られた画像から、前記複数の色列マークに対応する複数の色列マーク画像を抽出する色列マーク画像抽出手段と、
該色列マーク画像抽出手段により得られた前記複数の色列マーク画像のそれぞれが表す色列マークを前記体系に従ってコード情報に変換する変換手段と、
該変換手段にて得られた前記複数の色列マーク画像に対応した複数のコード情報を前記通信部から前記サーバに送信させる通信制御手段とを有し、
前記サーバは、
前記携帯端末側から送られてきた前記複数のコード情報から、ボーナス指定コード情報を作成するコード情報作成手段と、
該コード情報作成手段により得られた前記ボーナス指定コード情報に対応するボーナス情報を決定するボーナス情報決定手段と、
該ボーナス情報決定手段により決定された前記ボーナス情報を前記携帯端末に配信するボーナス情報配信手段とを有する情報処理システム。
【請求項５】
前記サーバの前記コード情報作成手段は、
前記携帯端末側から送られてきた前記複数のコード情報を直列的に結合して前記ボーナス指定コード情報を作成するコード情報結合手段を有する請求項４記載の情報処理システム。
【請求項６】
前記色列マークとしてカラービット（登録商標）を用いる請求項１乃至５のいずれかに記載の情報処理システム。
【請求項７】
撮影部と、
該撮影部により得られた画像を処理する処理部と、
所定の移動体通信網を介して外部機器と通信を行う通信部とを有する携帯端末であって、
前記処理部は、
所定の体系に従ってコード情報を表す色列マークの形成された複数のラベルを一括撮影する前記撮影部にて得られた画像から、前記複数の色列マークに対応する複数の色列マーク画像を抽出する色列マーク画像抽出手段と、
該色列マーク画像抽出手段により得られた前記複数の色列マーク画像から、前記体系を用いて、ボーナス指定コード情報を作成するコード情報作成手段と、
該コード情報作成手段により得られた前記ボーナス指定コード情報を前記通信部から前記移動体通信網を介してサーバに送信させる通信制御手段とを有する携帯端末。
【請求項８】
前記コード情報作成手段は、
前記複数の色列マーク画像のそれぞれが表す色列マークを前記体系に従ってコード情報に変換する変換手段を有し、
該変換手段にて得られた前記複数の色列マーク画像に対応した複数のコード情報に基づいて前記ボーナス指定コード情報を作成する請求項７記載の携帯端末。
【請求項９】
前記コード情報作成手段は、
前記変換手段にて得られた前記複数のコード情報を直列的に結合して前記ボーナス指定コード情報を作成するコード情報結合手段を有する請求項８記載の携帯端末。
【請求項１０】
撮影部と、
該撮影部により得られた画像を処理する処理部と、
所定の移動体通信網を介して外部機器と通信を行う通信部とを有する携帯端末であって、
前記処理部は、
所定の体系に従ってコード情報を表す色列マークの形成された複数のラベルを一括撮影する前記撮影部にて得られた画像から、前記複数の色列マークに対応する複数の色列マーク画像を抽出する色列マーク画像抽出手段と、
該色列マーク画像抽出手段により得られた前記複数の色列マーク画像のそれぞれが表す色列マークを前記体系に従ってコード情報に変換する変換手段と、
該変換手段にて得られた前記複数の色列マーク画像に対応した複数のコード情報を前記通信部から前記移動体通信網を介してサーバに送信させる通信制御手段とを有する携帯端末。
【発明の詳細な説明】
【技術分野】
【０００１】
本発明は、商品やサービスの販売促進を図るキャンペーンに用いられる情報処理システム、及びその情報処理システムに用いられる携帯端末に関する。
【背景技術】
【０００２】
従来、キャンペーン管理情報を含む二次元コードの印刷されたラベルを商品やその包装袋に貼付して、その商品の販売促進を図る仕組みが提案されている（特許文献１）。この仕組みでは、利用者にて操作される携帯電話器のカメラによって撮影された二次元コードから前記キャンペーン管理情報が抽出され、利用者は、携帯端末からそのキャンペーン管理情報を用いて開催者サーバにアクセスする等してキャンペーンに参加することができる。そして、そのキャンペーンを通して景品等のボーナスを利用者に与えることにより、商品等の販売促進が図られる。
【先行技術文献】
【特許文献】
【０００３】
特開２００５−７０７２５号公報
【発明の概要】
【発明が解決しようとする課題】
【０００４】
上述したような商品やサービスの販売促進を図る仕組みは、キャンペーンに参加する者の購買意欲を効果的に増進させることができること、また、そのキャンペーンに参加し易いことが重要である。
【０００５】
本発明は、このような事情に鑑みてなされたもので、キャンペーンに参加する者の商品またはサービスの購買意欲を効果的に増進させることに寄与することができ、また、キャンペーンに参加し易くすることに寄与することができる情報処理システムを提供するものである。
【０００６】
また、本発明は、そのような情報処理システムに用いられる携帯端末を提供するものである。
【課題を解決するための手段】
【０００７】
本発明に係る情報処理システムは、撮影部と、該撮影部により得られた画像を処理する処理部と、所定の移動体通信網を介して外部機器と通信を行う通信部とを有する携帯端末と、該携帯端末の前記通信部と前記移動体通信網を介して情報の送受を行うサーバとを有する情報処理システムであって、前記携帯端末の前記処理部は、所定の体系に従ってコード情報を表す色列マークの形成された複数のラベルを一括撮影する前記撮影部にて得られた画像から、前記複数の色列マークに対応する複数の色列マーク画像を抽出する色列マーク画像抽出手段と、該色列マーク画像抽出手段により得られた前記複数の色列マーク画像から、前記体系を用いて、ボーナス指定コード情報を作成するコード情報作成手段と、該コード情報作成手段により得られた前記ボーナス指定コード情報を前記通信部から前記サーバに送信させる通信制御手段とを有し、前記サーバは、前記携帯端末側から送られてきた前記ボーナス指定コード情報に対応するボーナス情報を決定するボーナス情報決定手段と、該ボーナス情報決定手段により決定された前記ボーナス情報を前記携帯端末に配信するボーナス情報配信手段とを有する構成となる。
【０００８】
このような構成により、携帯端末において、撮影部が、所定の体系に従ってコード情報を表す色列マークの形成された複数のラベルを一括撮影すると、その一括撮影により得られた画像から、前記複数の色列マークに対応する複数の色列マーク画像が抽出され、更に、その複数の色列マーク画像から、前記体系を用いて、ボーナス指定コード情報が作成される。そして、そのボーナス指定コード情報が通信部からサーバに送信される。このボーナス指定コードを受信したサーバでは、そのボーナス指定コード情報に対応したボーナス情報が決定され、そのボーナス情報が前記携帯端末に配信される。この配信されるボーナス情報が携帯端末にて受信されると、携帯端末の利用者は、当該携帯端末においてそのボーナス情報を利用することができる。
【０００９】
本発明に係る情報処理システムにおいて、前記携帯端末の前記処理部における前記コード情報作成手段は、前記複数の色列マーク画像のそれぞれが表す色列マークを前記体系に従ってコード情報に変換する変換手段を有し、該変換手段にて得られた前記複数の色列マーク画像に対応した複数のコード情報に基づいて前記ボーナス指定コード情報を作成する構成とすることができる。
【００１０】
このような構成により、携帯端末において、撮影部が複数のラベルを一括撮影することによって得られた画像から抽出される複数の色列マーク画像のそれぞれが表す色列マークが所定の体系に従ってコード情報に変換され、その複数の色列マーク画像に対応した複数のコード情報に基づいて前記ボーナス指定コードが作成される。
【００１１】
本発明に係る情報処理システムにおいて、前記コード情報作成手段は、前記変換手段にて得られた複数のコード情報を直列的に結合して前記ボーナス指定コード情報を作成するコード情報結合手段を有する構成とすることができる。
【００１２】
このような構成により、携帯端末において、撮影部が複数のラベルを一括撮影することによって得られた画像から抽出される複数の色列マーク画像のそれぞれが表す色列マークが所定の体系に従ってコード情報に変換され、その複数の色列マーク画像に対応した複数のコード情報が直列的に結合されて前記ボーナス指定コードが作成される。
【００１３】
また、本発明に係る情報処理システムは、撮影部と、該撮影部により得られた画像を処理する処理部と、所定の移動体通信網を介して外部機器と通信を行う通信部とを有する携帯端末と、該携帯端末の前記通信部と前記移動体通信網を介して情報の送受を行うサーバとを有する情報処理システムであって、前記携帯端末の前記処理部は、所定の体系に従ってコード情報を表す色列マークの形成された複数のラベルを一括撮影する前記撮影部にて得られた画像から、前記複数の色列マークに対応する複数の色列マーク画像を抽出する色列マーク画像抽出手段と、該色列マーク画像抽出手段により得られた前記複数の色列マーク画像のそれぞれが表す色列マークを前記体系に従ってコード情報に変換する変換手段と、該変換手段にて得られた前記複数の色列マーク画像に対応した複数のコード情報を前記通信部から前記サーバに送信させる通信制御手段とを有し、前記サーバは、前記携帯端末側から送られてきた前記複数のコード情報から、ボーナス指定コード情報を作成するコード情報作成手段と、該コード情報作成手段により得られた前記ボーナス指定コード情報に対応するボーナス情報を決定するボーナス情報決定手段と、該ボーナス情報決定手段により決定された前記ボーナス情報を前記携帯端末に配信するボーナス情報配信手段とを有する構成となる。
【００１４】
このような構成により、携帯端末において、撮影部が、所定の体系に従ってコード情報を表す色列マークの形成された複数のラベルを一括撮影すると、その一括撮影により得られた画像から、前記複数の色列マークに対応する複数の色列マーク画像が抽出される。そして、その複数の色列マーク画像のそれぞれが表す色列マークが前記体系に従ってコード情報に変換され、その複数の色列マーク画像に対応した複数のコード情報がサーバに送信される。その複数のコード情報を受信したサーバでは、受信した複数のコード情報から、から、前記体系を用いて、ボーナス指定コード情報が作成され、更に、そのボーナス指定コード情報に対応したボーナス情報が決定され、そのボーナス情報が前記携帯端末に配信される。その配信されるボーナス情報が携帯端末にて受信されると、携帯端末の利用者は、当該携帯端末においてそのボーナス情報を利用することができる。
【００１５】
本発明に係る情報処理システムにおいて、前記サーバの前記コード情報作成手段は、前記携帯端末側から送られてきた前記複数のコード情報を直列的に結合して前記ボーナス指定コード情報を作成するコード情報結合手段を有する構成となる。
【００１６】
このような構成により、サーバにおいて、携帯端末から送られてくる複数のコード情報が直列的に結合されて前記ボーナス指定コードが作成される。
【００１７】
前述した各情報処理システムにおいて、前記色列マークとしてカラービット（登録商標）を用いることができる。
【００１８】
また、本発明に係る携帯端末は、撮影部と、該撮影部により得られた画像を処理する処理部と、所定の移動体通信網を介して外部機器と通信を行う通信部とを有する携帯端末であって、前記処理部は、所定の体系に従ってコード情報を表す色列マークの形成された複数のラベルを一括撮影する前記撮影部にて得られた画像から、前記複数の色列マークに対応する複数の色列マーク画像を抽出する色列マーク画像抽出手段と、該色列マーク画像抽出手段により得られた前記複数の色列マーク画像から、前記体系を用いて、ボーナス指定コード情報を作成するコード情報作成手段と、該コード情報作成手段により得られた前記ボーナス指定コード情報を前記通信部から前記移動体通信網を介してサーバに送信させる通信制御手段とを有する構成となる。
【００１９】
このような構成により、撮影部が、所定の体系に従ってコード情報を表す色列マークの形成された複数のラベルを一括撮影すると、その一括撮影により得られた画像から、前記複数の色列マークに対応する複数の色列マーク画像が抽出され、更に、その複数の色列マーク画像から、前記体系を用いて、ボーナス指定コード情報が作成される。そして、そのボーナス指定コード情報がサーバに送信される。これにより、前記ボーナス指定コードを受信したサーバは、そのボーナス指定コード情報に対応したボーナス情報を決定し、そのボーナス情報を所定の通信端末に配信することができる。
【００２０】
更に、本発明に係る携帯端末は、撮影部と、該撮影部により得られた画像を処理する処理部と、所定の移動体通信網を介して外部機器と通信を行う通信部とを有する携帯端末であって、前記処理部は、所定の体系に従ってコード情報を表す色列マークの形成された複数のラベルを一括撮影する前記撮影部にて得られた画像から、前記複数の色列マークに対応する複数の色列マーク画像を抽出する色列マーク画像抽出手段と、該色列マーク画像抽出手段により得られた前記複数の色列マーク画像のそれぞれが表す色列マークを前記体系に従ってコード情報に変換する変換手段と、該変換手段にて得られた前記複数の色列マーク画像に対応した複数のコード情報を前記通信部から前記移動体通信網を介してサーバに送信させる通信制御手段とを有する構成となる。
【００２１】
このような構成により、撮影部が、所定の体系に従ってコード情報を表す色列マークの形成された複数のラベルを一括撮影すると、その一括撮影により得られた画像から、前記複数の色列マークに対応する複数の色列マーク画像が抽出される。そして、その複数の色列マーク画像のそれぞれが表す色列マークが前記体系に従ってコード情報に変換され、前記複数の色列マーク画像に対応した複数のコード情報がサーバに送信される。これにより、前記複数のコード情報を受信したサーバは、その複数のコード情報からボーナス情報を作成して、そのボーナス情報を所定の通信端末に配信することができる。
【発明の効果】
【００２２】
本発明に係る情報処理システムによれば、利用者は、色列マークの形成された複数のラベルを携帯端末の撮影部にて一括撮影することにより、ボーナス情報を当該携帯端末にて利用することができるので、商品またはサービスの販売促進のキャンペーンにおいて商品またはサービスの購入に対してラベルを発行することにより、そのキャンペーンに参加する利用者は、そのサービス情報を利用できる期待感により複数のラベルを集めるようになり、その利用者の商品またはサービスに対する購買意欲が増進される。よって、本発明に係る情報処理システムは、キャンペーンに参加する者の商品またはサービスの購買意欲を効果的に増進させることに寄与することができる。
【００２３】
また、本発明に係る情報処理システムによれば、利用者が操作する携帯端末では、色列マークの形成された複数のラベルを撮影部にて一括撮影することにより、その複数のラベルに形成された複数の色列マークに対応した複数のコード情報が得られるので、複数のラベルから前記複数のコード情報を得るための利用者が行わなければならないアクションが少なくて済む。よって、本発明に係る情報処理システムは、利用者がキャンペーンに参加し易くすることに寄与することができる。
【００２４】
また、本発明に係る携帯端末、サーバ及びプログラムによれば、前述したようにキャンペーンに参加する者の商品またはサービスの購買意欲を効果的に増進させることに寄与することができ、また、キャンペーンに参加し易くすることに寄与することができる情報処理システムを実現することができる。
【図面の簡単な説明】
【００２５】
【図１】（Ａ）商品やサービスの販売促進のキャンペーンに用いられる２層ラベルの構成例を示す図であり、（Ｂ）図１（Ａ）に示す２層ラベルにおける第１ラベルの構成例を示す図である。
【図２】３枚の第１ラベルが台紙に貼付された状態を示す図である。
【図３】本発明の実施の形態に係る情報処理システムを示す図である。
【図４】携帯端末の基本的な構成を示すブロック図である。
【図５】キャンペーン応募における、携帯端末での処理の流れを示すフローチャートである。
【図６】図２に示す台紙に貼付された３枚の第１ラベルを携帯端末（スマートフォン）で撮影している状態を示す図である。
【図７】カラービット、該カラービットが表すコード情報、及び３つのコード情報により作成されるボーナス指定コードの関係を示す図である。
【図８】管理サーバでのボーナス配信に係る処理の流れを示すフローチャートである。
【図９】図５に示す情報処理システムにおける携帯端末と管理サーバとでなされる処理の手順を示すシーケンス図である。
【発明を実施するための形態】
【００２６】
以下、本発明の実施の形態について図面を用いて説明する。
【００２７】
商品またはサービスの販売促進のキャンペーンにおいて、図１（Ａ）に示すような２層ラベル１２０が利用される。例えば、利用者が１つの商品または１つのサービスを購入する毎に、その利用者に対して１枚の２層ラベル１２０が発行される。
【００２８】
図１（Ａ）において、この２層ラベル１２０は、第１ラベル１２０ａ及び第２ラベル１２０ｂにて構成される。第１ラベル１２０ａは、図１（Ｂ）に示すように、商品やサービスに関する絵柄（例えば、アイスクリーム）と、カラービット（登録商標：以下、同様）ＣＢとがプリントされている。カラービットＣＢは、所定の体系に従ってコード情報を表す色列マークであって、３色（「赤」、「青」、「緑」）の色セルのつながり方に応じたコード情報を表す。第２ラベル１２０ｂは、第１ラベル１２０ａの表面に仮着され、第１ラベル１２０ａの表面にプリントされた絵柄及びカラービットＣＢを隠している。
【００２９】
利用者は、商品またはサービスを購入する毎に発行される２層ラベル１２０の第２ラベル１２０ｂを第１ラベル１２０ｂから剥がして、その第１ラベル１２０ａを、図２に示すように、専用の台紙１００に貼り付ける。この専用の台紙１００には、３枚の第１ラベル１２０ａを貼り付けることが可能であり、利用者は、台紙１００に貼り付けた３枚の第１ラベル１２０ａ（１）〜１２０ａ（３）を用いてキャンペーンに参加することができる。
【００３０】
本発明の実施の一形態に係る情報処理システムは、図３に示すように構成される。
【００３１】
図３において、上記キャンペーンに利用される情報処理システムは、スマートフォン等の携帯端末１０と、管理サーバ２０とを含む。この情報処理システムでは、携帯端末１０と通信を行う基地局５１及びネットワーク５０を含む移動体通信網がゲートサーバ５２を介してインターネット等の公衆ネットワーク６０に接続されている。各携帯端末１０は、移動体通信網（基地局５１、ネットワーク５０）、ゲートサーバ５２及び公衆ネットワーク６０を介して管理サーバ２０と情報の送受を行うことができる。
【００３２】
携帯端末１０は、例えば、図４に示すように構成される。
【００３３】
図４において、携帯端末１０は、コンピュータにより構成される処理部１１を有している。処理部１１は、プログラムに従って種々の処理を実行する。処理部１１にはカメラ１８（例えば、ＣＣＤカメラ：撮影部）が接続されており、処理部１１は、カメラ１８の撮影により得られる画像を処理する。処理部１１には、ＬＣＤ等によって構成され、静止画像や動画像等の各種情報を表示する表示パネル１２と、表示パネル１２上に一体的に設けられ、処理に対する指示や各種情報を入力するためのタッチパネル１３とが接続されている。処理部１１は、タッチパネル１２での操作に従って処理を行うとともに、処理の過程で得られた情報等を表示パネル１２に表示させることができる。
【００３４】
また、処理部１１には、通信部１９が接続されるとともに、音声入出力回路１５を介してスピーカ１６及びマイクロフォン１７が接続されている。通信部１９は、処理部１１による制御処理に従って、前記移動体通信網（基地局５１、ネットワーク５０：図３参照）を介して外部機器と音声情報を含む情報の送受を行う。また、処理部１１、通信部１９、音声入出力回路１５、スピーカ１６及びマクロフォン１７によって電話機能が実現される。具体的には、利用者の発話に応じてマイクロフォン１７から出力される音声信号は音声入出力回路１５を介して処理部１１に供給され、処理部１１による制御処理に従って、その音声信号に基づいた音声情報が通信部１９から移動体通信網を介して他の電話機器に送信される。また、他の電話機器から移動体通信網を介して通信部１９にて受信された音声情報は、処理部１１に取り込まれ、処理部１１による制御処理に従って、その音声情報に応じた音声信号が音声入出力回路１５からスピーカ１６に供給され、その音声信号に基づいてスピーカ１６が駆動される。これにより、通信部１９にて受信された前記音声情報に基づいた音声がスピーカ１６から発せられる。
【００３５】
更に、携帯端末１０は、記憶部１４（不揮発性メモリ、揮発性メモリを含む）を有している。記憶部１４には、処理部１１にて実行可能なプログラム、処理部１１での各種処理により得られた情報、また、処理部１１にて利用される各種情報が記憶される。
【００３６】
利用者は、キャンペーンに利用される専用アプリケーション（プログラム）を取得（所定のサイトからダウンロード）して、携帯端末１０の記憶部１４に格納させる。例えば、キャンペーンの対象となる商品またはサービスの提供企業のホームページ等から前記専用アプリケーションを携帯端末１０にダウンロードすることができる。
【００３７】
キャンペーンに応募しようとする利用者は、上述したように台紙１００に貼られた３枚の第１ラベル１２０ａ（１）〜１２０ａ（３）を用意し、携帯端末１０において前記専用アプリケーションを起動させる。携帯端末１０の処理部１１は、前記専用アプリケーションに従って、応募に関する処理を実行する。この応募に関する処理は図５に示す手順に従ってなされる。
【００３８】
図５において、処理部１１は、カメラ１８を起動し（ＴＳ１１）、タッチパネル１３の利用者による操作によって撮影がなされるか否かを判定する（ＴＳ１２）。利用者は、図６に示すように、台紙１００に貼られた３枚の第１ラベル１２０ａ（１）〜１２０ａ（３）を携帯端末１０におけるカメラ１８の視野に入れて、タッチパネル１３において撮影操作を行う。すると、カメラ１８は視野範囲を撮影し、処理部１１は、カメラ１８の撮影により得られた画像を取り込む（ＴＳ１３）。この画像には、一括的に撮影された前記３枚の第１ラベル１２０ａ（１）〜１２０ａ（３）の画像部分ＩＭＧが含まれる。処理部１１は、取り込んだ画像から、前記３枚の第１ラベル１２０ａ（１）〜１２０ａ（３）の画像部分ＩＭＧに含まれるカラービットＣＢ１〜ＣＢ３の画像（以下、カラービット画像という）を抽出する（ＴＳ１４：色列マーク画像抽出手段）。
【００３９】
処理部１１は、前記取り込んだ画像から３つのカラービット画像が抽出されたか否かを判定し（ＴＳ１５）、３つのカラービット画像が抽出されていなければ（ＴＳ１５でＮＯ）、撮影エラーであるとして、例えば、エラーメッセージを表示パネル１２に表示させるなどのエラー処理（ＴＳ１６）を行った後に、再度、撮影操作がなされるか否かを繰り返し判定する（ＴＳ１２）状態になる。一方、前記取り込んだ画像から３つのカラービット画像が抽出されたと判定すると（ＴＳ１５でＹＥＳ）、処理部１１は、各カラービット画像が表すカラービット（ＣＢ１〜ＣＢ３）を、そのカラービットとコード情報との関係を定める前記体系に従って、コード情報に変換する（ＴＳ１７：変換手段（コード情報作成手段））。そして、処理部１１は、前記３つのカラービット画像に対応する３つのコード情報を直列的に結合して、１つのボーナス指定コード情報を作成する（ＴＳ１８：コード情報結合手段（コード情報作成手段））。
【００４０】
上記の処理（ＴＳ１７、ＴＳ１８）により、例えば、図７に示すように、３つのカラービット画像が表す３つのカラービットＣＢ１〜ＣＢ３が、３つのコード情報「６８１２」、「４７１０」、「５２７３」に変換され（ＴＳ１７）、その３つのコード情報が直列的に結合されて、ボーナス指定コード情報「６８１２４７１０５２７３」が作成される（ＴＳ１８）。
【００４１】
このようにしてボーナス指定コード情報を作成すると、処理部１１は、そのボーナス指定情報を送信するかまたは保存するかの判定処理を行う（ＴＳ１９）。この判定処理では、例えば、携帯端末１０の表示パネル１２に、「送信」及び「保存」の選択キーが表示される。そして、「送信の」選択キーの操作がなされると（ＴＳ１９で送信）、処理部１１は、当該ボーナス指定コード情報、現在時刻を表すタイムスタップ、及び応募者情報（専用アプリケーションの識別番号、携帯端末１０のグローバルなＩＰアドレスやローカルなＩＰアドレス等を含む）を含む応募情報を作成する（ＴＳ２０）。そして、処理部１１は、その応募情報を通信部１９から移動体通信網（基地局５１、ネットワーク５０）、ゲートサーバ５２及び公衆ネットワーク（インターネット）６０を介して管理サーバ２０に送信させる（ＴＳ２１：通信制御手段）。
【００４２】
携帯端末１０と管理サーバ２０との間での前記応募情報の送受は、例えば、図９に示すようになされる。携帯端末１０は、前記応募情報を作成した（Ｐ１：図５におけるＴＳ１１〜ＴＳ２０に対応）後、管理サーバ２０にアクセスする（Ｐ２）。管理サーバ２０は、携帯端末１０からアクセスを受けると、その応答を携帯端末１０に返す（Ｐ３）。そして、携帯端末１０は、管理サーバ２０にアクセスした後、その応答を受信すると、前記応募情報を管理サーバ２０に送信する（Ｐ４：図５におけるＴＳ２１に対応）。その後、携帯端末１０は、待機状態になる（Ｐ５）。
【００４３】
なお、図５に示す携帯端末１０の処理部１１での処理において、前記「送信」の選択キーではなく、「保存」の選択キーが操作されると（ＴＳ１９で保存）、処理部１１は、前記ボーナス指定コード情報をタイムスタンプとともに記憶部１４に保存する（ＴＳ２２）。そして、後の利用者が都合の良いタイミングにおいて、記憶部１４に保存されたボーナス指定コード情報及びタイムスタンプを用いて応募情報を作成し、その応募情報を携帯端末１０から管理サーバ２０に送信することができる。
【００４４】
一方、管理サーバ２０は、携帯端末１０からアクセスを受けると、図８に示す手順に従ってボーナス情報配信に係る処理を行う。管理サーバ２０は、所定のプログラムを実行することにより、前記ボーナス情報配信に係る処理を行う。
【００４５】
図８において、管理サーバ２０は、携帯端末１０からのアクセス（図９におけるＰ２に対応）を受けると、その応答を携帯端末１０に返す（ＳＳ１１：図９におけるＰ３に対応）。その後、管理サーバ２０は、アクセスのあった携帯端末１０からの応募情報が受信されるか否かを繰り返し判定する（ＳＳ１２）。その過程で、前記応募情報を受信すると（ＳＳ１２でＹＥＳ）、管理サーバ２０は、受信した応募情報からタイムスタップ、応募者情報及びボーナス指定コード情報を抽出する（ＳＳ１３）。そして、管理サーバ２０は、抽出したタイムスタンプ基づいて、受信した応募情報がキャンペーンにおいて定められた応募期間中の応募にかかるものであるか否かを判定し（ＳＳ１４）、応募期間経過後の応募であると（ＳＳ１４でＮＯ）、応募期間終了メッセージを携帯端末１０に送信する（ＳＳ１７）。
【００４６】
管理サーバ２０は、ボーナス指定コード情報とボーナスとしてのコンテンツとの対応関係を表すデータベースを備えている。そして、受信した応募情報が応募期間中の応募に係るものであると（ＳＳ１４でＹＥＳ）、管理サーバ２０は、前記データベースを参照して、受信した応募情報に含まれる前記ボーナス指定コード情報に対応するコンテンツ（例えば、アイドルの動画像や静止画像等）を決定する（ＳＳ１５：ボーナス情報決定手段）。そして、管理サーバ２０は、その決定したコンテンツの公衆ネットワーク６０（インターネット）上での格納場所を表すＵＲＬをボーナス情報として携帯端末１０に配信する（ＳＳ１６：ボーナス情報配信手段）。
【００４７】
管理サーバ２０と携帯端末１０との間でのボーナス情報の送受は、例えば、図９に示すようになされる。ボーナス指定コード情報に対応したコンテンツを決定した（Ｐ６：図８におけるＳＳ１１〜ＳＳ１５に対応）管理サーバ２０は、コンテンツのＵＬＲをボーナス情報として配信する（Ｐ７：図８におけるＳＳ１６に対応）。利用者のタッチパネル１３の操作によって携帯端末１が前記ＵＲＬのサイトをアクセスする（Ｐ８）と、利用者は、その携帯端末１０によって対応するコンテンツ（例えば、アイドルの動画像、静止画像等）を閲覧することができる。
【００４８】
なお、管理サーバ２０からの応募期間終了メッセージの配信を受けた携帯端末１０では、表示パネル１２にその応募期間終了メッセージが表示される。それにより、利用者は、キャンペーンの応募期間が既に終了していたことを知ることができる。
【００４９】
上述したような情報処理システムによれば、利用者は、カラービットＣＢの形成された３枚の第１ラベル１２０ａ（１）〜１２０ａ（３）を携帯端末１０のカメラ１８にて一括撮影することにより、ボーナス情報としてのコンテンツ閲覧用のＵＲＬを当該携帯端末１０にて利用することができる。このため、そのキャンペーンに参加する利用者は、そのコンテンツ（例えば、アイドルの動画等）を閲覧できる期待感により、商品またはサービスの１回の購入により発行されるラベル１２０をより早く３枚集めるようとするようになり、また、利用者には、各ラベル１２０（第１ラベル１２０ａ）に形成されたカラービットＣＢがどのようなボーナス情報（コンテンツ）を表しているかが分からないので、利用者のワクワク感が更に増大されて、その利用者の商品またはサービスに対する購買意欲が増進される。
【００５０】
また、上述したような情報処理システムによれば、利用者が操作する携帯端末１０では、カラービットＣＢ１〜ＣＢ３の形成された３枚の第１ラベル１２０ａ（１）〜１２０ａ（３）をカメラ１８にて一括撮影することにより、その３枚の第１ラベル１２０ａ（１）〜１２０ａ（３）に形成された３つのカラービットＣＢ１〜ＣＢ３に対応した３つのコード情報が得られるので（図７参照）、３枚の第１ラベル１２０ａ（１）〜１２０ａ（３）から３つのコード情報を得るための利用者が行わなければならないアクションが少なくて済む。即ち、３つの第１ラベル１２０ａ（１）〜１２０ａ（３）を別々に撮影する必要がない。このため、利用者は、億劫がらずにキャンペーンに参加でき、そのキャンペーンが参加しやすいものとなる。
【００５１】
なお、上述した情報処理システムは、携帯端末１０において、３つ（複数）のカラービット画像からボーナス指定コード情報を作成し、そのボーナス指定コード情報を管理サーバ２０に送信するものであったが、これに限定されない。携帯端末１０において、３つ（複数）のカラービット画像が表す３つのカラービットＣＢ１〜ＣＢ３を３つ（複数）のコード情報に変換し、その３つのコード情報を管理サーバ２０に送るようにしてもよい。この場合、管理サーバ２０において、携帯端末１０から送信された３つのコード情報からボーナス指定コード情報を作成し、そのボーナス指定コード情報に対応するボーナス情報（コンテンツのＵＲＬ）を決定する。そして、そのボーナス情報が管理サーバ２０から携帯端末１０に配信される。
【００５２】
キャンペーンに参加に必要なラベル１２０（第１ラベル１２０ａ）の数は、３枚に限定されない。２枚であっても、４枚以上であってもよい。その場合、２枚または４枚以上の第１ラベル１２０ａを一括撮影して得られる画像から、２つまたは４つ以上のカラービット画像が抽出され、その２つまたは４つ以上のカラービット画像のそれぞれが表すカラービットがコード情報に変換され、２つまたは４つ以上のコード情報が得られる。そして、２つまたは４つ以上のコード情報からボーナス指定コード情報が作成される。
【００５３】
また、ボーナス指定コード情報は、複数のカラービット画像に対応した複数のコード情報を直列的に結合して作成されたが、これに限定されない。複数のカラービット画像に対応した複数のコード情報を、所定のアルゴリズムに従って１つのボーナス指定コード情報に変換するようにしてもよい。
【００５４】
色列マークとしてカラービットを用いたが、この色列マークは、所定の体系に従ってコード情報を表すものであれば、特に限定されない。
【産業上の利用可能性】
【００５５】
以上、説明したように、本発明に係る情報処理システムは、キャンペーンに参加する者の商品またはサービスの購買意欲を効果的に増進させることに寄与することができ、また、キャンペーンに参加し易くすることに寄与することができるという効果を有し、商品やサービスの販売促進を図るキャンペーンに用いられる情報処理システムとして有用である。
【符号の説明】
【００５６】
１０  携帯端末（スマートフォン）
１１  処理部
１２  表示パネル
１３  タッチパネル
１４  記憶部
１５  音声入出力回路
１６  スピーカ
１７  マイクロフォン
１８  カメラ
１９  通信部
２０  管理サーバ
５０ネットワーク
５１  基地局
５２  ゲートサーバ
６０  公衆ネットワーク（インターネット）
【図１】
2015026261.tif 000003
【図２】
2015026261.tif 000004
【図３】
2015026261.tif 000005
【図４】
2015026261.tif 000006
【図５】
2015026261.tif 000007
【図６】
2015026261.tif 000008
【図７】
2015026261.tif 000009
【図８】
2015026261.tif 000010
【図９】
2015026261.tif 000011